(57)【特許請求の範囲】
【請求項１】
軸筒の内部に、前方にペン先を有した筆記体が出没可能に配設され、前記筆記体と該筆記体を出没させる繰出機構部との間にゲル状弾性体が配設され、前記軸筒に前記ゲル状弾性体を視認する透明部が形成され、前記筆記体の繰出時において該筆記体と前記繰出機構部との間で圧縮された前記ゲル状弾性体を前記軸筒の内面に密着させ、前記透明部より、該ゲル状弾性体が該軸筒に密着した状態を視認することができる構造の繰出式筆記具。
【発明の詳細な説明】
【技術分野】
【０００１】
本発明は、軸筒の内部に、前方にペン先を有した筆記体が出没可能に配設された繰出式筆記具に関する。
【背景技術】
【０００２】
従来より、筆記具では、書き心地の良さが重要視されており、書き心地の一つとして、筆圧による疲労の軽減が考えられている。
例えば、特許文献１及び特許文献２には、インキタンクと軸筒との間に弾性体を配設して、使用者の手に伝わる力を軽減させる構造が提案されている。前記両文献に記載されたボールペンによれば、使用者が強い力でペン先を紙面に接触させた場合でも、弾性体がその力を軽減させることが可能となる。
【０００３】
尚、前記特許文献１に記載のボールペンでは、インキタンク（芯）と軸筒後部に装着されたキャップとの間にコイルスプリング（バネ）を配設してある。このコイルスプリングを弾性体として用いた場合には、筆記時における筆圧の変化が、ペン先の前後動や手に伝わる感触につながっていた。
また、前記特許文献２に記載のボールペンでは、インキタンク（芯部）と軸筒後部に装着されたキャップとの間にゴムを配設してある。このゴムを弾性体として用いた場合には、筆記時における筆圧の変化が、前記特許文献１のボールペンと同様、ペン先の前後動や手に伝わる感触につながっていた。
【０００４】
ところで、前記特許文献１及び前記特許文献２に記載されているように、インキタンクと軸筒との間に弾性体を配設したボールペン構造では、書き味を変化させると共に、ペン先に掛かる筆圧の反力を、弾性体へ逃がすことができることから、ペン先の摩耗が軽減できるという効果を得ることも可能であった。
【０００５】
しかしながら、前記両文献に記載されたボールペンでは、弾性体の変形により得られる効果が、書き味やペン先の耐久性の向上といった機能的なことだけであり、その弾性体の弾性変形が可能な状況を使用者に積極的に見せることは行われていなかった。
また、前記両文献に記載されたボールペンでは、弾性体としてコイルスプリングあるいはゴムを採用することから、筆記時における筆圧の変化が、瞬時にペン先の前後動や手に伝わる感触につながってしまい、そのダイレクトな反応が好まれない場合もあった。
【先行技術文献】
【特許文献】
【０００６】
【特許文献１】実開昭４９−４６８２７号公報
【特許文献２】実開昭４８−１１９３１号公報
【発明の概要】
【発明が解決しようとする課題】
【０００７】
本発明はこうした事実に鑑み、筆記時における筆圧の力を減少させ、ペン先に掛かる負担と手に掛かる負担とを軽減させると共に、使用者が視覚的にもその機能が働く状況を認識することが可能であり、弾性体の弾性変形による筆記感の変化が使用者にダイレクトに伝わることのない繰出式筆記具を得ることを目的とした。
【課題を解決するための手段】
【０００８】
本発明は、
「軸筒の内部に、前方にペン先を有した筆記体が出没可能に配設され、前記筆記体と該筆記体を出没させる繰出機構部との間にゲル状弾性体が配設され、前記軸筒に前記ゲル状弾性体を視認する透明部が形成され、前記筆記体の繰出時において該筆記体と前記繰出機構部との間で圧縮された前記ゲル状弾性体を前記軸筒の内面に密着させ、前記透明部より、該ゲル状弾性体が該軸筒に密着した状態を視認することができる構造の繰出式筆記具。」である。
【０００９】
筆記時に使用者が受ける筆圧の反力は、筆記体と、ペン先を軸筒から繰り出して筆記体を支持する繰出機構部との間に配設されたゲル状弾性体によって軽減され、その際の筆圧の変化による反応は、ゲルの特性により緩やかなものとなる。
また、筆記体の繰出時においてゲル状弾性体が軸筒の内面に密着するよう圧縮されることで、その前後に設けられた部材と軸筒の内面との隙間に入り込むように伸び広がり、さらには軸筒の透明部で生じた光の屈折作用によって、ゲル状弾性体が密着した状態を、より顕著に認識することも可能となる。
尚、筆記体の繰出時において圧縮されるゲル状弾性体は、筆記時に筆圧が軽減できるよう弾性変形する必要があり、したがって筆記体の繰出時においてはゲル状弾性体がさらに弾性変形できるようにすることが肝要である。具体的には、筆記体の繰出時にはゲル状弾性体がその前後方向において完全に圧縮されない寸法設定にしたり、あるいは前述のように、前後に設けられた部材と軸筒の内面との隙間にゲル状弾性体の前後縁部が入り込めるようにすればよい。
【発明の効果】
【００１０】
本発明によれば、筆記時に使用者が受ける筆圧の反力は、筆記体の後方に配設されたゲル状弾性体によって軽減され、その際の筆圧の変化による反応は、ゲルの特性により緩やかなものとなり、筆記体の繰出時においてゲル状弾性体が軸筒の内面に密着するよう圧縮されることで、その弾性体の弾性変形が可能な状況を使用者が視覚的に認識することができる繰出式筆記具を得ることができた。
【図面の簡単な説明】
【００１１】
【図１】本実施例のボールペンの縦断面図である。
【図２】本実施例のボールペンを分解した状態を示す図である。
【図３】本実施例のボールペンにおけるカム動作を模式的に示した図であり、図３Ａはペン先が没入した状態で、図３Ｂはペン先が突出した状態である。
【図４】本実施例のボールペンにおけるペン先を突出させた状態を示す縦断面図である。
【図５】本実施例のボールペンの筆記状態における縦断面図である。
【発明を実施するための形態】
【００１２】
以下、図面を参照して本実施例のボールペンについて説明をする。本実施例では、ペン先の繰出機構として回転カム機構を用いたノック式のボールペンについて説明を行うが、本発明は以下のボールペンに限定されるものではなく、万年筆やマーキングペンあるいはシャープペンシルなどの繰出式筆記具に採用することもできる。
本施例では、ペン先がある方を前方と表現し、その反対側を後方と表現する。尚、説明を分かりやすくするために、図面中の同様の部材、同様の部分については同じ符号を付してある。
【００１３】
図１は本実施例のボールペンの縦断面図である。図２は本実施例のボールペンを分解した状態を示す図である。ボールペン１は、前軸２１と後軸２２とを螺合した軸筒２の内部に、前方にペン先３１を有した筆記体３を配設し、軸筒２の前方に配したコイルスプリング４により筆記体３を後方へ向かって弾発してある。コイルスプリング４は、筆記体３のインキ（不図示）を収容したインキタンク３２の前端部３２ａと、前軸２１の内面に形成した内段２１ａとに係止されており、後述する回転カム機構部５を作動させ、筆記体３がコイルスプリング４を圧縮しながら前進することで、前軸２１の前端に形成した先端開口部２１ｂからペン先３１を突出させることができる。
【００１４】
筆記体３のインキタンク３２の後端には、尾栓３３の前方小径部３３ａを挿着してあり、前方小径部３３ａに形成したスリット３３ｂとインキタンク３２の側面に設けた孔部３２ｂとの位置を合わせ、筆記によるインキ（不図示）の減少に伴い、インキタンク３２の内部に空気が入るようにしてある。
また、尾栓３３の後方には、後軸２２の内径より若干小径の鍔部３３ｃを形成してあり、インキタンク３２の後端から突出させている。
【００１５】
本実施例のボールペン１は、軸筒２の後方に、ノック操作により作動する従来の前記回転カム機構部５が設けられている。回転カム機構部５は、後軸２２の内面２２ａの円周上に等間隔で形成したカム溝２２ｂと、後軸２２の後端に形成した後端開口部２２ｃから突出した筒状の固定カム６と、固定カム６の前方に配した筒状の回転カム７とで構成してある。
固定カム６は、先端に山形状の凹凸部６ａを有し、外面には、カム溝２２ｂに係合する複数の突起６ｂを、凹凸部６ａの頂部６ｃに位置するよう円周上に等間隔で設けてある。
回転カム７の外周面には、カム溝２２ｂに係合する複数のカム突起７ａを有し、カム突起７ａの後端に前記凹凸部６ａに噛み合う傾斜面７ｂで構成した噛合部７ｃを設けてある。
【００１６】
尚、回転カム７の前方には、後軸２２の内径より若干小径に形成した円板部材８を配設しており、該円板部材８と、尾栓３３の後方に形成した後軸２２の内径より若干小径の鍔部３３ｃとの間に、円柱状のゲル状弾性体９を配設してある。
【００１７】
次に、図１〜図４を用いて、本実施例のボールペンのノック操作について説明を行う。  図３は、本実施例のボールペンにおけるカム動作を模式的に示した図であり、図３Ａはペン先が没入した状態で、図３Ｂはペン先が突出した状態である。図４は、本実施例のボールペンにおけるペン先を突出させた状態を示す縦断面図である。
図３Ａに示すように、本実施例のカム機構部５は、固定カム６の突起６ｂ及び回転カム７のカム突起７ａをカム溝２２ｂに係合させた際、固定カム６の凹凸部６ａの頂部６ｃが、噛合部７ｃの傾斜面７ｂの中間点に位置するようにしてある。
後軸２２の後端開口部２２ｃから突出した固定カム６のノック部６ｄを軸筒２の前方へ押動すると、固定カム６は、後軸２２の内面２２ａに形成した深いカム溝２２１ｂと浅いカム溝２２２ｂに係合した突起６ｂに導かれて前進し、固定カム６に連接した回転カム７は、深いカム溝２２１ｂに係合したカム突起７ａに導かれて前進する。
カム突起７ａが、深いカム溝２２１ｂの先端に達して該カム溝から離脱すると、固定カム６の凹凸部６ａの頂部６ｃは、回転カム７の噛合部７ｃの傾斜面７ｂの中間に位置する。この時、回転カム７は、筆記体３とゲル状弾性体９を介してコイルスプリング４で後方へ弾発された円板部材８に当接しているので、後方へ後退しようとして右側から左側に回転し（図において、噛合部７ｃの傾斜面７ｂが右下がりのため）、回転カム７の噛合部７ｃは固定カム６の凹凸部６ａを滑って、カム突起７ａの噛合部７ｃが浅いカム溝２２２ｂの先端の係止斜面２２３ｂに係止され、図４に示したように、先端開口部２１ｂからペン先３１を突出させた状態で維持することができる。
また再度、ノック部６ｄを軸筒２の前方へ押動することにより、カム突起７ａの噛合部７ｃと浅いカム溝２２２ｂの係止斜面２２３ｂとの係止状態が解かれ、コイルスプリング４に弾発された回転カム７が後退しようとして右側から左側に回転し（図において、噛合部７ｃの傾斜面７ｂが右下がりのため）、回転カム７のカム突起７ａが深いカム溝２２１ｂを後退して図３Ａの状態となり、図１に示したように、先端開口部２１ｂにペン先３１が没入した状態となる。
【００１８】
尚、本実施例のゲル状弾性体９は、株式会社コスモ計器製コスモスーパーゲル（アスカー硬度：１５度）にて成形してあり、回転カム７と該ゲル状弾性体９との間に配設した円板部材８は滑り性のよいフッ素樹脂で成形してある。したがって、コイルスプリング４の弾発力によりゲル状弾性体９が円板部材８に密着していても、回転カム７と円板部材８との摺動性はよく、回転カム７の回転動作は滑らかである。
また、本実施例の後軸２２は、透明なポリカーボネートにて成形したことから、後軸２２の全体が透明部２２ｄであり、緑色に着色されたゲル状弾性体９を視認することができる。
【００１９】
次に、図１及び図４、図５を用いて、本実施例のボールペンを使用した状態について説明を行う。図５は、本実施例のボールペンの筆記状態における縦断面図である。
図４に示すように、ゲル状弾性体９は、筆記体３を介してコイルスプリング４で後方へ弾発された力で圧縮され、後軸２２の内面２２ａに密着する。この時、ゲル状弾性体９の前縁部９ａは、尾栓３３の鍔部３３ｃと後軸２２の内面２２ａとの隙間に入り込むように伸び広がり、ゲル状弾性体９の後縁部９ｂは、円板部材８と後軸２２の内面２２ａとの隙間に入り込むように伸び広がるため、ゲル状弾性体９の前後方向の巾が広くなって、より見やすくなっている。さらに曲面で形成した後軸２２の内面２２ａは、ゲル状弾性体９が密着することで、光の屈折作用によって、ゲル状弾性体９が後軸２２の肉厚内部２２ｃに存在するかのように見ることができた。
このゲル状弾性体９の変化により、使用者は、ゲル状弾性体９の弾性変形が可能な状況を視覚的に認識することができ、さらに筆記体３のペン先３１が軸筒２から突出されて筆記が可能になった状態も認識することができた。
また図５に示したように、筆記時に紙面１００にペン先３１を押し当てて筆圧が掛かった際には、ゲル状弾性体９がさらに圧縮されるように変形し、使用者が受ける筆圧の反力が、筆記体３の後方に配設されたゲル状弾性体９によって軽減され、その際の筆圧の変化による反応は、ゲルの特性により緩やかなものとなった。
【符号の説明】
【００２０】
１…ボールペン、
２…軸筒、
２１…前軸、２１ａ…内段、２１ｂ…先端開口部、
２２…後軸、２２ａ…内面、２２ｂ…カム溝、２２ｃ…肉厚内部、
２２１ｂ…深いカム溝、２２２ｂ…浅いカム溝、２２３ｂ…係止斜面、
２２ｃ…後端開口部、２２ｄ…透明部、
３…筆記体、
３１…ペン先、
３２…インキタンク、３２ａ…前端部、３２ｂ…孔部、
３３…尾栓、３３ａ…前方小径部、３３ｂ…スリット、３３ｃ…鍔部、
４…コイルスプリング、
５…回転カム機構部、
６…固定カム、
６ａ…凹凸部、６ｂ…突起、６ｃ…頂部、６ｄ…ノック部、
７…回転カム、
７ａ…カム突起、７ｂ…傾斜面、７ｃ…噛合部、
８…円板部材、
９…ゲル状弾性体、
９ａ…前縁部、９ｂ…後縁部、
１００…紙面。
【図１】
0006563842.tif 000002
【図２】
0006563842.tif 000003
【図３】
0006563842.tif 000004
【図４】
0006563842.tif 000005
【図５】
0006563842.tif 000006